(57)【要約】      （修正有）【課題】電子棚札の装着と、２種類のＰＯＰカードの装着を可能にするＰＯＳレールを提供すること。【解決手段】前方部材１と、可撓性ヒンジ３により連結される商品陳列棚３０のレール部３１に装着される後方部材２とからなり、前方部材１は、略同じ形状の２枚の板状部材を背中合わせに重ねて下端で接合し、上部が開口した小カード類挿入溝１３を形成する一方、２枚の板状部材の中、前面部材１１の上部を大カード類Ａの上縁が挿入される上部折り返し係止片１４とした上側部材と、２枚の板状部材の下端から後方で且つその下側に形成される電子棚札Ｃが装着されるコ字断面形状部材１６であって、コ字断面形状部材１６の下部材の前端部に、前端側から下部折り返し係止片１７と電子棚札の下部支持片１８を形成し、且つ当該両片間の係止溝に大カード類Ａの下縁が挿入されるようにした下側部材とからなるＰＯＳレール１０。【選択図】図５
0003135542.tif 000002
【実用新案登録請求の範囲】
【請求項１】
前方部材と、可撓性ヒンジにより該前方部材と上部で連結される後方部材とからなる、商品陳列棚の前端のレール部に装着されるＰＯＳレールであって、
前方部材は、略同じ形状の２枚の板状部材を背中合わせに重ねて下端で接合し、上部が開口した小カード類挿入溝を形成する一方、２枚の板状部材の中、前面部材の上部を大カード類の上縁が挿入される上部折り返し係止片とした上側部材と、該２枚の板状部材の下端から後方で且つその下側に形成される電子棚札が装着されるコ字断面形状部材であって、該コ字断面形状部材の下部材の前端部に、前端側から下部折り返し係止片と電子棚札の下部支持片を形成し、且つ当該両片間の係止溝に大カード類の下縁が挿入されるようにした下側部材とからなり、
後方部材は、該レール部に装着される形状の係合部材を備えることを特徴とするＰＯＳレール。
【請求項２】
前記コ字断面形状部材の下部材の上面に、電子棚札の横滑りを抑制する摩擦部材を更に形成したことを特徴とする請求項１記載のＰＯＳレール。
【請求項３】
前記摩擦部材が、ＰＯＳレールの材質より軟質な部材であり、長手方向に延びる突起状物であることを特徴とする請求項２記載のＰＯＳレール。
【請求項４】
後方部材は、上側部材と該上側部材と連続する下側部材からなり、該上側部材は、後方で且つ下部に後方係合溝を備える板状の鉛直部材からなり、該下側部材は、該鉛直部材の下端から下方へ突出する上部係合片と、該鉛直部材の下端から前方へ延出し、次いで屈曲して斜め前方下り傾斜に延出する傾斜部材と、該傾斜部材の端から後方へ延出し、更に屈曲して内側に突の丸み形状を有するバネ力により該レール部に係合する下部係合片とからなることを特徴とする請求項１〜３のいずれか１項に記載のＰＯＳレール。
【請求項５】
後方部材は、略鉛直部材の後方で且つ下部に後方係合溝を備える板状の略鉛直部材と、該略鉛直部材の下端から下方へ延出する係合片とからなることを特徴とする請求項１〜３のいずれか１項に記載のＰＯＳレール。
【請求項６】
後方部材は、前部材と該前部材と連続する後部材からなり、該前部材は、後方側にく字形状に屈曲するバネ力により該レール部に係合する係止片からなり、該後部材は、該可撓性ヒンジから後方へ延出する水平部材と、該水平部材から略直角に下方へ屈曲し後方で且つ下部に後方係合溝を備える板状の鉛直部材とからなることを特徴とする請求項１〜３のいずれか１項に記載のＰＯＳレール。
【請求項７】
前記傾斜部材の下端から前方側へ屈曲する折り返し係合片を更に形成したことを特徴とする請求項４記載のＰＯＳレール。
【請求項８】
く字断面形状であって、該ＰＯＳレール長さと同等又はそれより短い所定長さを有し、く字形状の一辺を前記後方部材の折り返し係合片で形成される係合溝に係合させ、他の一辺の先端を前方部材の裏面に当接させる表示角度調整部材を更に備えることを特徴とする請求項７記載のＰＯＳレール。
【請求項９】
前記電子棚札が、液晶表示の箱状部材であることを特徴とする請求項１〜８記載のＰＯＳレール。
【考案の詳細な説明】
【背景技術】
【０００１】
現在、商品陳列棚の前端のレール部には、ほとんどＰＯＳレールが装着されている。ＰＯＳレールは商品陳列棚の前端のレール部の幅より大きな紙で価格表示ができると共に、ＰＯＰ（point of purpose）表示ができ、優れた商品陳列の演出が可能となる。また、ＰＯＳレールの後方には、通常仕切り板係合溝が形成されているため、商品仕切り機能を付与することもでき、大変都合がよい。
【０００２】
一方、近年、商品陳列棚の陳列商品の価格表示は、液晶画面で表示する電子棚札が急速に普及している。電子棚札は店内をシステム化すれば、商品の価格が変わった場合でもパソコンから変更できるため、価格表示変更に伴う労力を圧倒的に軽減することができ、コストダウンが図れる。
【０００３】
従来の電子棚札は、表示角度を自在に調整できる表示用ホルダに装着され、電子棚札を装着した表示用ホルダを商品陳列棚の前端のレール部に装着していた（特開２００１−３１２２２１号公報）。これは、液晶表示による電子棚札は、斜めからは表示が見難く、視認性が厳しく要求されるため、陳列棚の高さに応じた表面の角度調整を行う必要があったためである。
【考案の開示】
【考案が解決しようとする課題】
【０００４】
しかしながら、電子棚札を装着した表示用ホルダを直接、商品陳列棚のレール部に装着したのでは、ＰＯＳレールを活用することはできない。逆に、ＰＯＳレールを使用すると、電子棚札を装着した表示用ホルダの装着ができないという問題がある。また、表示用ホルダは、１個の電子棚札に対して１個必要となるため、電子棚札表示のコストを上昇させるという問題があった。また、電子棚札は厚さがあるため、商品陳列棚のレール部に装着した後、電子棚札がショッピングカートや買い物客に当たり、横滑りが生じて、商品の表示が正しく行なわれないという問題があった。また、ＰＯＳレールは、そのＰＯＰ表示の演出効果が優れることから、透明カードを更に追加して２種類のカード類を表示することが多いが、これではＰＯＳレールと透明カードケースの２種類の管理を行なうこととなり、管理コストが上昇するという問題がある。
【０００５】
従って、本考案の目的は、電子棚札の装着と、２種類のＰＯＰカードの装着を可能にするＰＯＳレールを提供することにある。また、簡易な方法で、表示角度を調整することができるＰＯＳレールを提供することにある。
【課題を解決するための手段】
【０００６】
すなわち、本考案は上記課題を解決するものであって、前方部材と、可撓性ヒンジにより該前方部材と上部で連結される後方部材とからなる、商品陳列棚の前端のレール部に装着されるＰＯＳレールであって、前方部材は、略同じ形状の２枚の板状部材を背中合わせに重ねて下端で接合し、上部が開口した小カード類挿入溝を形成する一方、２枚の板状部材の中、前面部材の上部を大カード類の上縁が挿入される上部折り返し係止片とした上側部材と、該２枚の板状部材の下端から後方で且つその下側に形成される電子棚札が装着されるコ字断面形状部材であって、該コ字断面形状部材の下部材の前端部に、前端側から下部折り返し係止片と電子棚札の下部支持片を形成し、且つ当該両片間の係止溝に大カード類の下縁が挿入されるようにした下側部材とからなり、後方部材は、該レール部に装着される形状の係合部材を備えることを特徴とするＰＯＳレールを提供するものである。
【考案の効果】
【０００７】
本考案のＰＯＳレールによれば、１枚のＰＯＳレールで、大カード類、小カード類および電子棚札の３種類の表示が可能となる。このため、従来、必要としていた表示用ホルダが不要となるため、１枚のＰＯＳレールに多数の電子棚札を使用する場合には、設置コストを低減できる。また、透明カードケースが不要となるため、在庫管理が容易となる。また、電子棚札が設置されるコ字断面形状部材の底面上に摩擦部材を形成したものであれば、電子棚札がショッピングカートや買い物客に当たっても、横滑りをすることがなく、商品表示が正しく行なわれる。
【考案を実施するための最良の形態】
【０００８】
次ぎに本考案の第１の実施の形態におけるＰＯＳレールを図１〜図５を参照して説明する。図１は本例のＰＯＳレールの斜視図、図２は図１のＰＯＳレールの側面図、図３は商品陳列棚のレール部に装着されたＰＯＳレールの側面図、図４は商品陳列棚の他のレール部に装着されたＰＯＳレールの側面図、図５はＰＯＳレールの使用状態図を示す。本明細書において、「前方」は顧客側を言い、「後方」はその逆方向を言い、「上部（上側）」はＰＯＳレールをレール部に設置した状態の位置を言う。
【０００９】
ＰＯＳレール１０は、商品陳列棚３０（３０ａ）の前端のレール部３１（３１ａ）に装着される樹脂製のものであって、カード類や電子棚札を支持する機能を奏する前方部材１と、可撓性ヒンジ３により前方部材１と上部で連結される主にレール部装着機能を奏する後方部材２とからなる。すなわち、後方部材２がレール部３１（３１ａ）に装着され固定されると、前方部材１はその重みで後方部材２に当接する位置で支持される（図２）一方、例えば図６に示すような表示角度調整部材の設置により、後方部材２に対して回動して、上向き姿勢とすることができる。
【００１０】
前方部材１は、上側部材５０と上側部材５０と一体的に連続する下側部材６０から形成される。上側部材５０は略同じ形状の２枚の板状部材１１、１２を背中合わせに重ねて下端１５で接合することで、上部が開口した小カード類挿入溝１３を形成することができる一方、２枚の板状部材１１、１２の中、前面部材１１の上部を大カード類Ａの上縁６１が挿入される上部折り返し係止片１４としたものである。また、２枚の板状部材１１、１２の中、前面部材１１の上部は更に上方に延出する突出部１３を形成して、小カード類挿入溝１３に小カード類を挿入し易いようにしている。また、前面部材１１は透明部材であるため、小カード類挿入溝１３に挿入された小カード類を顧客が見ることができる（図５参照）。
【００１１】
下側部材６０は２枚の板状部材１１、１２の下端１５から後方で且つその下側に形成される電子棚札Ｃが装着されるコ字断面形状部材１６であって、コ字断面形状部材１６の下部材１６１の前端部に、前端側から内側に順次、且つ上方へ突出する下部折り返し係止片１７と電子棚札の下部支持片１８を形成し、且つ当該両片１７、１８間の係止溝１９に大カード類Ａの下縁６２が挿入されるようにしたものである。
【００１２】
コ字断面形状部材１６の空間部には液晶表示面を有する箱形状の電子棚札Ｃが装着されるため、空間部の高さ寸法は電子棚札Ｃの高さ寸法と同等又は少し小さめである。空間部の高さ寸法が電子棚札Ｃの高さ寸法より少し小さめであっても、コ字断面形状部材１６の下部材１６１は装着時、弾性により広がり、装着後は締まるため問題はない。また、コ字断面形状部材１６の上部材１５１には、幅方向に所定のピッチで形成され、且つ長手方向に延出する２条の突起部１５２を有する。２条の突起部１５２により、電子棚札Ｃの係合が強く、安定する。
【００１３】
また、コ字断面形状部材１６の下部材１６１の上面には、長手方向に延びる突起状の摩擦部材１６２が更に形成されている。摩擦部材としては、特に制限されないが、ＰＯＳレールの材質より軟質な部材、例えばゴム材などが挙げられる。コ字断面形状部材１６の下部材１６１の上面に摩擦部材１６２を設置することで、電子棚札がショッピングカートや買い物客に当たっても、横滑りをすることがなく、商品表示が正しく行なわれる（図６(Ｂ)参照）。本考案のＰＯＳレールの摩擦部材は上記形態に限定されず、電子棚札の横滑りを抑制する部材であればよい。
【００１４】
本考案において、後方部材２はレール部に装着される形状の係合部材を備えるものであれば、限定されないが、本例では、上側部材２１ａと上側部材２１ａと連続する下側部材２１ｄからなり、上側部材２１ａは、後方係合溝２２を下側で且つ後方に備える板状の鉛直部材２１と、鉛直部材２１の下側に位置するレール部に装着される形状の下側部材２１ｄとからなる。後方係合溝２２は、例えば商品陳列棚に設置される商品仕切り板の前方係合片が係合したり、陳列商品が前方へ転落することを防止する商品転落防止板が係合する溝である。
【００１５】
レール部に装着される形状の下側部材２１ｄは、鉛直部材２１ａの下端の接合部２５から下方へ突出する上部係合片２３１と、接合部２５より前方に延出する水平部材２３４と、水平部材２３４から斜め前方下り傾斜に延出する傾斜部材２３２と、傾斜部材２３２の端から後方へ延出し、更に屈曲してレール部３１（３１ａ）に装着の際、バネ力により係合する内側に突の丸み形状を有する下部係合片２３３とからなる。ＰＯＳレール１０は下側部材２１ｄがこのような特殊な形状を採るため、いわゆる重量棚や中量棚への設置が可能となる。なお、ＰＯＳレール１０には、下側部材２１ｄの傾斜部材２３の下端から前方上方へ屈曲する折り返し係合片２４を更に形成している。この折り返し係合片２４は本例のＰＯＳレール１０においては、任意の構成要素である。
【００１６】
重量棚は陳列商品の重量があっても耐え得る構造のものであり、図３に示す陳列棚が挙げられる。図３の重量棚３０は、先端の垂直部材３５の下端が内側に屈曲してコ字断面形状を呈しており、レール部３１の形状が、陳列棚３０の先端に固着される鉛直部と、上端が内側に屈曲した上部装着片３２と、下端が内側に屈曲した下部装着片３４と、上部装着片３２と鉛直部間の係合溝３６を備える。重量棚３０であれば、ＰＯＳレール１０の下側部材２１ｄの上部係合片２３１が係合溝３６に嵌合し、且つ下部係合片２３３が下部装着片３４の裏側に入り込むため、安定した装着ができる。
【００１７】
中量棚は重量棚よりは強度に劣る構造のものであり、図４に示す陳列棚が挙げられる。図４の中量棚３０ａは、先端の垂直部材３５ａの下端が外側に屈曲してＬ字断面形状を呈しており、レール部３１の形状が、陳列棚３０ａの先端に固着される凹状の背面板３１ａと、上端が内側に屈曲した上部装着片３２ａと、下端が内側に屈曲した下部装着片３４ａとを備える。中量棚３０ａであれば、ＰＯＳレール１０の下側部材２１ｄの上部係合片２３１が上部装着片３２ａの裏側に入り込み、下部係合片２３３が下部装着片３４ａの裏側に入り込むため、安定した装着ができる。ＰＯＳレール１０によれば、レール部に装着される形状が、鉛直部材の上部係合片２３１と内側に突の丸み形状を有する下部係合片２３３からなる特定の形状であるため、現在使用されているほとんどの陳列棚のレール部の形状に適合する。
【００１８】
ＰＯＳレール１０の使用方法を図５を参照して説明する。図５の陳列棚３０には、商品Ｄが陳列されている。ＰＯＳレール１０は商品陳列棚３０の前端縁のレール部３１に装着されている。ＰＯＳレール１０の前方部材１の上部折り返し係止片１４と下部折り返し係止片１７間に商品情報を表示した大カード類Ａ（（図中、「広告の品・・あいうえお・・」を表示したもの）を装着し、小カード類挿入溝１３には、小カード類（図中、「新発売」を表示したもの）を装着し、コ字断面形状部材１６には、商品価格を表示した電子棚札Ｃ（図中、「１２３円」を表示したもの）を装着したものである。図中、ＰＯＳレール１０は、長手方向に更に連続する形状であってもよく、また図８に示すような寸法形状のものを長手方向に複数枚、端面を突き合わせて横並びで設置してもよい。
【００１９】
ＰＯＳレール１０によれば、１枚のＰＯＳレール１０で大カード類Ａ、小カード類Ｂおよび電子棚札Ｃの３種類の表示が可能となる。また、従来、必要としていた表示用ホルダが不要となるため、１枚のＰＯＳレールに多数の電子棚札を使用する場合には、設置コストを低減できる。
【００２０】
次ぎに本考案の第２の実施の形態におけるＰＯＳレールを図６〜図８を参照して説明する。図６は本例のＰＯＳレールの側面図、図７は図１のＰＯＳレールの前方部材を上向きとした斜視図、図８は本例のＰＯＳレールの使用状態図を示す。図６〜図８において、図１〜図５と同一構成要素には同一符号を付して、その説明を省略し、異なる点を主に説明する。すなわち、本例のＰＯＳレール１０ａにおいて、ＰＯＳレール１０と異なる点は、後方部材２の傾斜部材２３の折り返し係合片２４に、く字断面形状であって、ＰＯＳレール１０ａの長手方向における長さより短い所定長さを有し、く字形状の一辺４２を後方部材の折り返し係合片２４で形成される係合溝２４１に係合させ、他の一辺４１の先端４４を前方部材１のコ字断面形状部材１６の裏面に当接させる表示角度調整部材４を更に設けた点にある。これにより、ＰＯＳレール１０ａはＰＯＳレール１０と同様の効果を奏する他、前方部材１をより上向き角度にすることができ、陳列棚の中段棚、下段棚に設置しても顧客に見え易くなる。なお、表示角度調整部材４の長さは、適宜決定すればよく、ＰＯＳレール１０ａが長い場合には、複数個を所定のピッチで設置すればよい。また、表示角度調整部材４のく字形状の前方部材に当接する側の辺の長さを適宜変えることで、前方部材の表示角度を変更することができる。
【００２１】
次ぎに本発明の第３の実施の形態におけるＰＯＳレールを図９を参照して説明する。図９は、商品陳列棚のレール部に装着された本例のＰＯＳレールの側面図である。図９において、図３と同一構成要素には同一符号を付して、その説明を省略し、異なる点について説明する。すなわち、図９において図３と異なる点は後方部材の形状である。ＰＯＳレール１０ｂにおいて、後方部材２ｂは、略鉛直部材２１ｂの後方で且つ下部に後方係合溝２２を備える板状の略鉛直部材２１ｂと、略鉛直部材２１ｂの下端から下方へ延出する係合片２３１ｂとからなる。そして、係合片２３１ｂがレール部３１の係合溝３６に嵌合する。ＰＯＳレール１０ｂによれば、レール部３１への嵌合強度はＰＯＳレール１０に比べると低いものの、それ以外はＰＯＳレール１０と同様の効果を奏する。
【００２２】
次ぎに本発明の第４の実施の形態におけるＰＯＳレールを図１０及び図１１を参照して説明する。図１０は商品陳列棚のレール部に装着された本例のＰＯＳレールの側面図、図１１は本例のＰＯＳレールが嵌合するレール部の斜視図である。図１０及び図１１において、図３と同一構成要素には同一符号を付して、その説明を省略し、異なる点について説明する。すなわち、図１０において図３と異なる点は後方部材の形状と、ＰＯＳレールが嵌合するレール部の形状である。ＰＯＳレール１０ｃにおいて、後方部材２ｃは、前部材２２ｃと前部材２２ｃと連続する後部材２１ｃからなり、前部材２２ｃは、後方側にく字形状に屈曲するバネ力により嵌合補助具４０に係合する係止片２９からなり、後部材２１ｃは、可撓性ヒンジ３から後方へ延出する水平部材２１８と、水平部材２１８から略直角に下方へ屈曲し後方で且つ下部に後方係合溝２２を備える板状の鉛直部材２１９とからなる。
【００２３】
本例において、図１１に示すように、レール部３１の係合溝３６には、嵌合補助具４０が着脱自在に嵌合している。嵌合補助具４０は、長手方向に延出する上部線材４１１と、上部線材４１１の下方に所定の距離、離間した長手方向に延出する下部線材４１２を両端で縦線材４１３により接合した横長の枠状物４１であり、枠状物４１の長手方向の数箇所に逆Ｕ字形状の係合片４２を付設したものである。係合片４２の逆Ｕ字形状の下端は、レール部３１の係合溝３６に嵌合している。
【００２４】
このような嵌合補助具４０にＰＯＳレール１０ｃを取り付けるには、ＰＯＳレール１０ｃの前部材２２ｃを嵌合補助具４０の上部線材４１１に嵌め込むことで行なわれる。ＰＯＳレール１０ｃの前部材２２ｃは、バネ力により係合するく字形状断面のフック部材であるため、嵌合補助具４０に強く取り付けられる。ＰＯＳレール１０ｃにおいても、ＰＯＳレール１０と同様の効果を奏する。
【図面の簡単な説明】
【００２５】
【図１】第１の実施の形態例のＰＯＳレールの斜視図である。
【図２】図１のＰＯＳレールの側面図である。
【図３】商品陳列棚のレール部に装着されたＰＯＳレールの側面図である。
【図４】商品陳列棚の他のレール部に装着されたＰＯＳレールの側面図である。
【図５】ＰＯＳレールの使用状態図である。
【図６】第２の実施の形態例のＰＯＳレールの側面図である。
【図７】図１のＰＯＳレールの前方部材を上向きとした斜視図である。
【図８】本例のＰＯＳレールの使用状態図である。
【図９】第３の実施の形態におけるＰＯＳレールの側面図である。
【図１０】第４の実施の形態におけるＰＯＳレールの側面図である。
【図１１】第４の実施の形態のＰＯＳレールが嵌合するレール部の斜視図である。
【符号の説明】
【００２６】
１    前方部材
２    後方部材
３    可撓性ヒンジ
４    表示角度調整部材
１０  ＰＯＳレール
１１、１２    板状部材
１３          小カード類挿入溝
１４        上部折り返し係止片
３０、３０ａ  商品陳列棚
３１、３１ａ  レール部
５０          上側部材
６０          下側部材
Ａ          大カード類
Ｂ          小カード類
Ｃ      電子棚札
１６    コ字断面形状部材
１７    下部折り返し係止片
１８    係止溝
【図１】
0003135542.tif 000003
【図２】
0003135542.tif 000004
【図３】
0003135542.tif 000005
【図４】
0003135542.tif 000006
【図５】
0003135542.tif 000007
【図６】
0003135542.tif 000008
【図７】
0003135542.tif 000009
【図８】
0003135542.tif 000010
【図９】
0003135542.tif 000011
【図１０】
0003135542.tif 000012
【図１１】
0003135542.tif 000013